(57)【要約】【課題】目視で燃料保管部内部の燃料残量を確認することができ、携帯用バーナーの破損及び変形を最小化する。【解決手段】本発明は、バーナーヘッドを含むバーナー本体と、上記バーナー本体下側に配置され、上記バーナーヘッドに燃料を供給する燃料保管部とを含み、上記燃料保管部は、上記燃料が保管される内部ケースと、上記内部ケースを収納する外部ケースとを含み、上記内部ケース及び上記外部ケースの少なくとも一部は透明又は半透明に形成され、上記内部ケース及び上記外部ケース間には衝撃緩衝部が形成された携帯用バーナーが配置される。【選択図】図２
2014224673.tif 000002
【特許請求の範囲】
【請求項１】
バーナーヘッドを含むバーナー本体と、上記バーナー本体の下側に配置され、上記バーナーヘッドに燃料を供給する燃料保管部と、を含む携帯用バーナーにおいて、
上記燃料保管部は、
上記燃料が保管される内部ケースと、上記内部ケースを収納する外部ケースと、を含み、
上記内部ケース及び上記外部ケースの少なくとも一部は透明又は半透明で形成され、上記内部ケースと上記外部ケースとの間には衝撃緩衝部が形成されたことを特徴とする携帯用バーナー。
【請求項２】
上記衝撃緩衝部は、
上記内部ケースと上記外部ケースとの間に形成された複数のリブを含むことを特徴とする請求項１に記載の携帯用バーナー。
【請求項３】
上記リブは、斜線で配置されたことを特徴とする請求項２に記載の携帯用バーナー。
【請求項４】
上記内部ケースは、終端が分離されたドーナッツ形状で形成されたことを特徴とする請求項１に記載の携帯用バーナー。
【請求項５】
上記内部ケースの中心に取り付けられ、上記バーナーヘッドを保持するように複数のネジが締結されるネジ孔が形成された金属材質のネジ締結部を、更に含むことを特徴とする請求項４に記載の携帯用バーナー。
【請求項６】
上記外部ケースは、
上記ネジ締結部を覆うように形成され、上記ネジ孔と連通され、上記ネジ孔の直径より大きく形成され、上記外部ケースが上記ネジの側面と接触しないようにネジ挿入孔が形成されたことを特徴とする請求項５に記載の携帯用バーナー。
【請求項７】
上記ネジ締結部は、
上記ネジ締結部の終端より上記内部ケースの側壁へ拡張形成され、上記内部ケースに保管された上記燃料の燃焼を促進する拡張板を、更に含むことを特徴とする請求項５に記載の携帯用バーナー。
【請求項８】
上記内部ケースは、
上端が開放された内部ケース本体と、上記内部ケース本体の上端を密閉するカバーと、を更に含むことを特徴とする請求項１に記載の携帯用バーナー。
【請求項９】
上記カバーは、上記内部ケース本体の上端を覆うように形成された締結溝を含むことを特徴とする請求項８に記載の携帯用バーナー。
【請求項１０】
上記内部ケースは、
上記内部ケース本体の上端に取り付けられ、上記締結溝との密閉のためのパッキング部材を、更に含むことを特徴とする請求項９に記載の携帯用バーナー。
【請求項１１】
上記内部ケース本体の上端は、上側に行くほど厚さが薄くなるように形成されたことを特徴とする請求項９に記載の携帯用バーナー。
【請求項１２】
上記カバーと上記内部ケース本体は超音波融着されたことを特徴とする請求項９〜１１のいずれか１項に記載の携帯用バーナー。
【発明の詳細な説明】
【技術分野】
【０００１】
本発明は、携帯用バーナーに関し、より詳しくは、外部から燃料を確認することができる携帯用バーナーに関するものである。
【背景技術】
【０００２】
近頃、キャンプ等が増加しながら炊事のための携帯用バーナー使用が増加している。
このような携帯用バーナーは、ガスを用いたガスバーナーとガソリンを用いたガソリンバーナーとに分けられる。このために、携帯用バーナーは、上記ガス又はガソリンを保管する燃料保管部が別途取り付けられている。
【０００３】
この時、上記燃料保管部は、一般的に不透明に形成されている。例示的に、燃料保管部は、不透明な色相で形成されたプラスチック、金属などで形成され、内部を目視で確認することは困難であった。
【０００４】
これにより、使用者は携帯用バーナー使用時、燃料保管部に保管された燃料の残量を目視で確認するためには、携帯用バーナーから燃料保管部を分離した後、燃料保管部内のガス又はガソリンの残量を確認していた。そこで、携帯用バーナーを使用する使用者の便宜のために、目視で燃料保管部に保管された燃料残量を確認する携帯用バーナーが求められていた。
【発明の概要】
【発明が解決しようとする課題】
【０００５】
本発明は、上記のような問題点を鑑みて案出されたものであり、目視で燃料保管部内の燃料残量を確認することができる携帯用バーナーを提供することにその目的がある。
また、本発明は破損及び変形を最小化する携帯用バーナーを提供することにその目的がある。
【０００６】
本発明の目的、以上で言及した目的に制限されなく、言及されないさらに別の目的は下記の記載から当業者に明確に理解されるだろう。
【課題を解決するための手段】
【０００７】
上記のような目的を達成するための本発明の一面に係る携帯用バーナーは、バーナーヘッドを含むバーナー本体と、上記バーナー本体下側に配置され、上記バーナーヘッドに燃料を供給する燃料保管部と、を含み、上記燃料保管部は、上記燃料が保管される内部ケースと、上記内部ケースを収納する外部ケースと、を含み、上記内部ケース及び上記外部ケースの少なくとも一部は透明又は半透明で形成され、上記内部ケースと上記外部ケースとの間には衝撃緩衝部が形成される。
【０００８】
上記構成により、使用者は目視で燃料保管部内部の燃料残量を確認することができ、携帯用バーナーの破損及び変形を最小化することができるようになる。
【発明の効果】
【０００９】
上述した課題解決手段により、本発明は、携帯用バーナーのバーナーヘッドに燃料を供給する燃料保管部を透明又は半透明で形成することによって、携帯用バーナー使用時、燃料保管部内の燃料残量を容易に確認することができる効果を奏する。
【００１０】
また、本発明は、携帯用バーナーの燃料保管部を構成する内部ケースと外部ケースと間に衝撃緩衝部を形成し、外部から加えられた衝撃を緩衝することができる。その結果、燃料保管部の破損及び変形を防止する効果を奏する。
【図面の簡単な説明】
【００１１】
【図１】本発明の実施例に係る携帯用バーナーを示した斜視図である。
【図２】図１の燃料保管部を示した斜視図である。
【図３】図２のIII−IIIに係る断面図である。
【図４】図２の燃料保管部の裏面を示した斜視図である。
【発明を実施するための形態】
【００１２】
下記の説明で本発明の特定詳細が本発明のより全般的な理解を提供するために示されるが、これらの特定詳細なしで、又はこれらの変形によっても本発明が容易に実施することができるということは、この技術分野で通常の知識を有した者に自明なことである。
【００１３】
以下、本発明に係る好ましい実施例を添付された図１〜図５を参照して、詳細に説明する。本発明に係る動作及び作用を理解するのに必要な部分を中心に説明する。
【００１４】
図１は、本発明の実施例に係る携帯用バーナーを示した斜視図であり、図２は図１の燃料保管部を示した斜視図であり、図３は図２のIII−IIIに係る断面図であり、図４は図２の燃料保管部の裏面を示した斜視図である。
【００１５】
図１〜図４によれば、本発明の実施例に係る携帯用バーナー１０は、バーナーヘッド１４０を含むバーナー本体１００と、上記バーナー本体１００下側に配置され、バーナーヘッド１４０に燃料を供給する燃料保管部２００を含む。
【００１６】
上記バーナー本体１００は、飲食物を保管する飲用部１２０を更に含む。上記飲用部１２０と、飲用部１２０の使用が容易であり、バーナーヘッド１４０の分離のためのハンドル１３０を更に含んでもよい。
【００１７】
上記燃料保管部２００は、上記バーナーヘッド１４０に燃料を供給するように燃料を保管する部材であり、このために、燃料が保管された内部ケース２２０と、内部ケース２２０を収納する外部ケース２３０とを含み、内部ケース２２０及び外部ケース２３０の少なくとも一部は透明又は半透明で形成され、内部ケース２２０と外部ケース２３０と間には衝撃緩衝部２５０が形成される。
【００１８】
また、外部ケース２３０は、燃料保管部２００の外形を形成していてもよく、バーナーヘッド１４０と同じ形状、サイズで形成される。また、外部ケース２３０には、燃料保管部２００を保持する支持部材２３２が更に形成されていてもよく、上記支持部材２３２は外部ケース２３０と一体的に形成される。
【００１９】
上記内部ケース２２０は、燃料が保管される保管溝２２２が形成されてもよく、終端が分離されたドーナッツ形状で形成されてもよい。なぜならば、内部ケース２２０の内部中心には、後記する金属材質のネジ締結部２４０を装着し、装着されたネジ締結部２４０は内部ケース２２０に保管された燃料の熱拡散を増大させることがあるからである。
【００２０】
上記内部ケース２２０に保管される燃料は、石油又はガスのいずれかが保管される。以下、本発明では、ガスを例えて説明するが、内部ケース２２０に保管される燃料の種類により本発明が制限されるものではない。
【００２１】
上記内部ケース２２０及び外部ケース２３０は、透明又は半透明で形成される。例示的に、内部ケース２２０及び外部ケース２３０は、透明のプラスチック材質、シリコン、シリコンゴムなどで形成されてもよく、内部ケース２２０に保管された燃料の量を目視で確認することができるため、携帯用バーナー１０を使用する使用者が燃料の減少程度を確認し、残っている燃料の具合に応じて、容易に燃料を補充するか、燃料保管部２００を交替することができる。
【００２２】
一方、上記衝撃緩衝部２５０は、内部ケース２２０と外部ケース２３０は所定間隔で離隔されるように形成される。なぜならば、燃料加熱時、内部ケース２２０の温度が上昇され、上昇された温度が外部ケース２３０に伝達され、伝達された高温は外部ケース２３０を破損、又は変形させる。このように、外部ケース２３０の破損を防止するために、内部ケース２２０と外部ケース２３０とを所定間隔で離隔されるように形成することによって、燃料加熱時、発生する高温が外部ケース２３０へ直接伝達されることを防止し、外部ケース２３０の破損及び変形を防止することができる。
【００２３】
上記衝撃緩衝部２５０は、内部ケース２２０と外部ケース２３０と間に複数のリブ２５２を含む。即ち、上記リブ２５２は、内部ケース２２０と外部ケース２３０と間に形成されたギャップ上に形成され、上記リブ２５２により、バーナー１０へ衝撃が加えられても、リブ２５２が衝撃を緩衝する。これにより、外部での使用が多いバーナー１０の特性上、外部衝撃による破損が発生することがあったが、上記リブ２５２で衝撃を緩衝することで、バーナー１０の破損を防止することができる。
【００２４】
この時、リブ２５２は、斜線で配置され、緩衝力を増大させることができる。例示的に、リブ２５２は、時計方向に撓むように形成されてもよく、本発明では、リブ２５２が時計方向に撓まれた斜線で形成され、緩衝力を増大させる例を挙げているが、代案として、リブ２５２が時計反対方向に撓まれた斜線で形成されていてもよい。
【００２５】
また、図面を参考して、燃料保管部２００を詳細に説明する。内部ケース２２０は終端が分離されたドーナッツ形状で形成される。なぜならば、内部ケース２２０は、バーナーヘッド１４０が取り付けられることがあり、上記保管溝２２２周辺に沿ってバーナーヘッド１４０が下端に取り付けられるからである。この時、内部ケース２２０には、バーナーヘッド１４０の下端が内部ケース２２０に取り付けられれば、取り付けられたバーナーヘッド１４０を保持するように複数のネジ５０が締結されるネジ孔２４４が形成された金属材質のネジ締結部２４０を更に含む。上記ネジ締結部２４０は、ネジ孔２４４に挿入されたネジ５０の端部を覆うように形成され、携帯用バーナー１０の作動時、ネジ５０が内部ケース２２０と直接面接することを防止することができる。
【００２６】
この時、ネジ孔２４４は、外部ケース２３０から内部ケース２２０を貫通するように形成され、ネジ孔２４４に挿入されたネジ５０により、外部ケース２３０と内部ケース２２０とを同時に組立てることができる。
【００２７】
上記ネジ締結部２４０は、ネジ締結部２４０の終端より内部ケース２２０の側壁へ拡張形成され、内部ケース２２０に保管された燃料の燃焼を促進する拡張板２４２を更に含む。即ち、ネジ締結部２４０と拡張板２４２は、内部ケース２２０とバーナーヘッド１４０とが直接し、内部ケース２２０に保管された燃料が加熱されながらバーナーヘッド１４０と内部ケース２２０が溶融されることを防止する。また、ネジ締結部２４０と拡張板２４２は、内部ケース２２０に保管された燃料が加熱される時、共に温度が上昇しながら燃料の気化が促進される。
【００２８】
一方、外部ケース２３０は、締結される上記ネジ５０を覆うように形成され、外部ケース２３０の外部に延長形成され、ネジ孔２４４の直径より大きく形成され、ネジ５０の外側面と接触しないネジ挿入孔２３４を更に含んでもよい。
【００２９】
上記ネジ挿入孔２３４は、ネジ５０が挿入される挿入口であってもよく、ネジ５０の直径より大きく形成され、携帯用バーナー１０作動時、発生する高温により、ケースが溶融され、ネジ５０がケース２２０、２３０に付着されることを防止することができる。
【００３０】
また、図面を参考すると、内部ケース２２０は、上端が開放された内部ケース本体２２３と、内部ケース本体２２３の上端２２５を密閉するカバー２１０を更に含む。上記カバー２１０は、透明及び半透明材質で形成されてもよく、好ましくは内部ケース２２０及び外部ケース２３０と同じ材質で形成されてもよい。
【００３１】
さらに、上記カバー２１０は、内部ケース本体２２３の上端２２５を覆うように形成された締結溝２１２を含む。上記締結溝２１２は、内部ケース２２０の上端が嵌挿装着され、内部ケース２２０に保管される燃料が密閉されるようになる。この時、締結溝２１２は、内部ケース２２０の上端より小さいサイズで形成され、締結溝２１２に内部ケース２２０上端が嵌挿装着されるとき、内部ケース２２０の上端が締結溝２１２から分離されることを防止する。
【００３２】
この時、内部ケース本体２２３の上端２２５は、上側に行くほど厚さが薄くなってもよい。このように、内部ケース本体２２３の上端２２５が上側に行くほど厚さが薄くなるにつれて、内部ケース本体２２３の上端２２５が締結溝２１２に、より容易に嵌挿され、内部ケース本体２２３の上端２２５と締結溝２１２との密閉程度が増大される。
【００３３】
一方、カバー２１０と内部ケース本体２２３は融着されてもよい。より詳細に、カバー２１０と内部ケース本体２２３の側面が、超音波を用いて融着される。このように、カバー２１０と内部ケース本体２２３の側面を融着しながら、内部ケース２２０に保管された燃料漏れを防止するとともに、内部ケース２２０に保管された燃料が燃焼される時、内部ケース２２０に加えられる圧力に耐える維持力が向上される。
【００３４】
即ち、内部ケース２２０は、内部ケース本体２２３の上端２２５にカバー２１０と密着されるパッキング部材２２４を更に含む。上記パッキング部材２２４は、内部ケース２２０上端が上記締結溝２１２に嵌挿装着される時、カバー２１０と密着され、締結溝２１２から内部ケース２２０上端が分離されることを防止することができる。この時、内部ケース本体２２３の側面とカバー２１０を超音波で融着すれば、パッキング部材２２４がカバー２１０内で加圧されながらカバー２１０と内部ケース本体の２２３上端２２５との密着具合が増加される。その結果、内部ケース２２０を更に密閉し、内部ケース２２０に保管された燃料漏れを防止することができる。
【００３５】
以上のように、カバー２１０が内部ケース本体２２３の上端２２５に配置されることで、内部ケース２２０の上部が密閉され、燃料漏れを防止できる。さらに、内部ケース本体２２３の側面とカバー２１０を超音波融着しながら内部ケース本体２２３の上端２２５に設けられたパッキング部材２２４とカバー２１０と間を加圧しながら内部ケース２２０を再度密閉し、追加的に燃料漏れを防止できる。
【００３６】
この時、上記パッキング部材２２４は、内部ケース本体２２３とカバー２１０が融着される前に、締結溝２１２に嵌挿され、内部ケース本体２２３とカバー２１０とを密着することができる。また、パッキング部材２２４は、ゴム材質で内部ケース２２０上端に別途取り付けてもよく、代案として、内部ケース２２０上端を球状に形成し、内部ケース２２０上端自体がパッキング部材２２４としての役割を果たせてもよい。
【００３７】
以上のように、携帯用バーナー１０に取り付けられる燃料保管部２００を透明又は半透明材質で形成することによって、携帯用バーナー１０使用字、燃料の増減を目視で確認することができる。従って、燃料の充填又は燃料保管部２００の交替をより正確な時期に行うことができる。
【００３８】
以上では、本発明の好ましい実施例を例示的に説明したが、本発明の範囲はこのような特定実施例のみに限定されるものではなく、特許請求の範囲に記載された範囲内で適切に変更可能である。
【符号の説明】
【００３９】
１０  携帯用バーナー
１００  バーナー本体
１２０  飲用部
１４０  バーナーヘッド
２００  燃料保管部
２１０  カバー
２１２  締結溝
２２０  内部ケース
２２２  保管溝
２２４  パッキング部材
２３０  外部ケース
２３２  支持部材
２３４  ネジ挿入孔
２４０  ネジ締結部
２４２  拡張板
２４４  ネジ孔
２４６  拡張板
２５０  衝撃緩衝部
２５２  リブ。
【図１】
2014224673.tif 000003
【図２】
2014224673.tif 000004
【図３】
2014224673.tif 000005
【図４】
2014224673.tif 000006